(57)【要約】【課題】ケーブルが装置本体に接続されたまま運搬してしまうのを防止することができる。【解決手段】本体接続部を備えた装置本体と、本体接続部と着脱自在に接続される第１のケーブル接続部、他の接続機器の接続機器接続部と着脱自在に接続される第２のケーブル接続部、及び第１、第２のケーブル接続部間のワイヤ部３３ｃを備えたケーブルとを有する。前記装置本体は、筐体の所定の箇所に、電子装置を運搬するための把持部を備え、該把持部に臨ませて前記本体接続部が配設される。作業者が、把持部に指を掛けて電子装置を把持しようとすると、ケーブルが指に触れるので、装置本体にケーブルが接続されたまま電子装置を運搬してしまうのを防止することができる。【選択図】図１
2010052233.tif 000002
【特許請求の範囲】
【請求項１】
（ａ）本体接続部を備えた装置本体と、
（ｂ）前記本体接続部と着脱自在に接続される第１のケーブル接続部、他の接続機器の接続機器接続部と着脱自在に接続される第２のケーブル接続部、及び第１、第２のケーブル接続部間のワイヤ部を備えたケーブルとを有するとともに、
（ｃ）前記装置本体は、筐体の所定の箇所に、電子装置を運搬するための把持部を備え、
（ｄ）該把持部に臨ませて前記本体接続部が配設されることを特徴とする電子装置。
【請求項２】
前記把持部は前記筐体の切欠部に形成される請求項１に記載の電子装置。
【請求項３】
前記ケーブルは、把持部に沿って延在させて配線される請求項１に記載の電子装置。
【請求項４】
前記把持部と、ケーブルを収納する収納部とが隣接させて配設される請求項１〜３のいずれか１項に記載の電子装置。
【請求項５】
前記ケーブルは電源ケーブルである請求項１〜４のいずれか１項に記載の電子装置。
【請求項６】
前記ケーブルはインタフェースケーブルである請求項１〜４のいずれか１項に記載の電子装置。
【発明の詳細な説明】
【技術分野】
【０００１】
本発明は、電子装置に関するものである。
【背景技術】
【０００２】
従来、プリンタ、複写機、ファクシミリ装置等の電子装置としての画像形成装置、例えば、プリンタは、一般的に、ケーブルとしての電源ケーブルを介して他の接続機器としての商用電源のコンセントと接続され、商用電源から電力が供給され、動作するようになっている。
【０００３】
そのために、プリンタの本体、すなわち、装置本体の背面にＡＣインレットが、電源ケーブルの両端にプラグが配設され、ＡＣインレットと装置本体側のプラグとが接続され、商用電源側のプラグとコンセントとが接続される（例えば、特許文献１参照。）。
【特許文献１】特開平１１−３２７２３９号公報
【発明の開示】
【発明が解決しようとする課題】
【０００４】
前記従来のプリンタにおいては、作業者が装置本体に電源ケーブルが接続されたまま運搬すると、ＡＣインレット、プラグ等の接続部に極めて大きな力が加わり、前記接続部が破損してしまうことがある。
【０００５】
本発明は、前記従来のプリンタの問題点を解決して、作業者が装置本体にケーブルが接続されたまま運搬してしまうのを防止することができる電子装置を提供することを目的とする。
【課題を解決するための手段】
【０００６】
そのために、本発明の電子装置においては、本体接続部を備えた装置本体と、前記本体接続部と着脱自在に接続される第１のケーブル接続部、他の接続機器の接続機器接続部と着脱自在に接続される第２のケーブル接続部、及び第１、第２のケーブル接続部間のワイヤ部を備えたケーブルとを有する。
【０００７】
そして、前記装置本体は、筐体の所定の箇所に、電子装置を運搬するための把持部を備え、該把持部に臨ませて前記本体接続部が配設される。
【発明の効果】
【０００８】
本発明によれば、電子装置においては、本体接続部を備えた装置本体と、前記本体接続部と着脱自在に接続される第１のケーブル接続部、他の接続機器の接続機器接続部と着脱自在に接続される第２のケーブル接続部、及び第１、第２のケーブル接続部間のワイヤ部を備えたケーブルとを有する。
【０００９】
そして、前記装置本体は、筐体の所定の箇所に、電子装置を運搬するための把持部を備え、該把持部に臨ませて前記本体接続部が配設される。
【００１０】
この場合、作業者が、把持部に指を掛けて電子装置を把持しようとすると、ケーブルが指に触れるので、作業者は、違和感を覚え、装置本体にケーブルが接続されたままであることを実感し、認識することができる。
【００１１】
したがって、装置本体にケーブルが接続されたまま電子装置を運搬してしまうのを防止することができる。
【発明を実施するための最良の形態】
【００１２】
以下、本発明の実施の形態について図面を参照しながら詳細に説明する。なお、この場合、電子装置としてのプリンタについて説明する。
【００１３】
図２は本発明の第１の実施の形態におけるプリンタの概念図、図３は本発明の第１の実施の形態におけるプリンタの電源系を示すブロック図である。
【００１４】
図に示されるように、プリンタ１０の本体、すなわち、装置本体の下部に、媒体としての図示されない用紙を収容するための媒体収容部としての用紙カセット１１が配設され、該用紙カセット１１の前端に隣接させて、用紙を１枚ずつ分離させて給紙する給紙機構が配設される。該給紙機構は給紙ローラ１２を備え、給紙機構によって給紙された用紙は、給紙ローラ１２の上方に配設された搬送ローラ部１４に送られ、更に搬送ローラ部１５に送られ、その後、第１の転写部材としての、かつ、搬送部材としての転写ベルト１７が駆動ローラ２５によって走行させられるのに伴って、前記転写ベルト１７によって搬送され、イエロー、マゼンタ、シアン及びブラックの各色の現像剤像としてのトナー像を形成する複数の画像形成部としての画像形成ユニット１６Ｙ、１６Ｍ、１６Ｃ、１６Ｂｋと第２の転写部材としての転写ローラ５１Ｙ、５１Ｍ、５１Ｃ、５１Ｂｋとの間を通過する。前記転写ベルト１７、転写ローラ５１Ｙ、５１Ｍ、５１Ｃ、５１Ｂｋ等によって転写ユニットが構成される。
【００１５】
前記転写ローラ５１Ｙ、５１Ｍ、５１Ｃ、５１Ｂｋは、各画像形成ユニット１６Ｙ、１６Ｍ、１６Ｃ、１６Ｂｋにおいて、像担持体としての感光体ドラム５２Ｙ、５２Ｍ、５２Ｃ、５２Ｂｋによって形成された各色のトナー像を、前記用紙に転写し、カラーのトナー像を形成する。
【００１６】
続いて、用紙は、加熱ローラ１８ａ及び加圧ローラ１８ｂから成る定着装置としての定着器１８に送られ、該定着器１８においてカラーのトナー像が用紙に定着させられ、カラーの画像が形成される。そして、定着器１８から排出された用紙は、搬送ローラ部１９によって運搬された後、排出ローラ部２０によって、トップカバー２７の一部を構成するスタッカ２６に排出される。
【００１７】
前記感光体ドラム５２Ｙ、５２Ｍ、５２Ｃ、５２Ｂｋの表面を露光して潜像としての静電潜像を形成するために、露光装置としての各ＬＥＤヘッド２１Ｙ、２１Ｍ、２１Ｃ、２１Ｂｋが、各画像形成ユニット１６Ｙ、１６Ｍ、１６Ｃ、１６Ｂｋと対向させて配設される。
【００１８】
該各画像形成ユニット１６Ｙ、１６Ｍ、１６Ｃ、１６Ｂｋは、装置本体に対して着脱自在に配設され、そのために、装置本体の上部にトップカバー２７が開閉自在に配設される。なお、前記各ＬＥＤヘッド２１Ｙ、２１Ｍ、２１Ｃ、２１Ｂｋはトップカバー２７によって保持される。
【００１９】
そして、前記プリンタ１０には高圧電源２３及び低圧電源２２が配設される。前記高圧電源２３は、制御部２４に接続され、各画像形成ユニット１６Ｙ、１６Ｍ、１６Ｃ、１６Ｂｋ及び各転写ローラ５１Ｙ、５１Ｍ、５１Ｃ、５１Ｂｋに、各トナーの色及び各画像形成ユニット１６Ｙ、１６Ｍ、１６Ｃ、１６Ｂｋの装着位置に応じた電圧を印加する。
【００２０】
また、前記低圧電源２２は、定着器１８の熱源、すなわち、加熱ローラ１８ａ内の図示されないハロゲンランプに電力を供給したり、高圧電源２３を作動させたり、画像形成ユニット１６Ｙ、１６Ｍ、１６Ｃ、１６Ｂｋにおいて感光体ドラム５２Ｙ、５２Ｍ、５２Ｃ、５２Ｂｋ等を回転させるためのモータ３６を駆動したり、駆動ローラ２５、給紙ローラ１２等を回転させるための図示されない各モータを駆動したり、プリンタ１０の制御に必要なセンサ３７に制御部２４を介して電力を供給したりする。
【００２１】
なお、プリンタ１０は、ケーブルとしての電源ケーブル３３を介して、他の接続機器としての図示されない商用電源と、プリンタ１０の切欠部９３において接続される。前記電源ケーブル３３は、装置本体側の第１のケーブル接続部としてのプラグ３３ａ、商用電源側の第２のケーブル接続部としてのプラグ３３ｂ、及びプラグ３３ａ、３３ｂ間のワイヤ部３３ｃから成り、外径が１〔ｃｍ〕にされる。
【００２２】
そして、装置本体に本体接続部としてのＡＣインレット３５が配設され、商用電源に接続機器接続部としてのコンセント３２が配設され、プラグ３３ａと前記ＡＣインレット３５とが、プラグ３３ｂとコンセント３２とが、それぞれ、着脱自在に接続される。なお、ＡＣインレット３５、プラグ３３ａ、３３ｂ及びコンセント３２によって接続部が構成される。また、前記ＡＣインレット３５と低圧電源２２との間に、送電される電力のオン・オフを切り替える遮断装置としての主電源スイッチ３１が配設される。
【００２３】
次に、プリンタ１０と商用電源との接続状態について説明する。
【００２４】
図１は本発明の第１の実施の形態におけるプリンタの斜視図、図４は本発明の第１の実施の形態におけるケーブルの配設状態を示す第１の図、図５は本発明の第１の実施の形態におけるケーブルの配設状態を示す第２の図、図６は本発明の第１の実施の形態におけるプリンタの把持状態を示す図である。
【００２５】
図に示されるように、装置本体の筐体は、前面を構成するフロントカバー９１、側面を構成するサイドカバー２８、背面を構成するリヤカバー２９、上面を構成するトップカバー２７、及び底面を構成するベースカバー９２を備え、前記リヤカバー２９の所定の箇所に、図示されないＵＳＢケーブル、ＬＡＮケーブル等を接続するためのインタフェース３４が配設される。
【００２６】
そして、筐体の所定の箇所、本実施の形態においては、下部におけるサイドカバー２８からリヤカバー２９にかけて、切欠部９３が形成され、該切欠部９３は、作業者がプリンタ１０を把持し、運搬する際に指を掛けるための把持部として使用される。前記切欠部９３のベースカバー９２からの高さ、及びサイドカバー２８からの奥行きは、いずれも、５〔ｃｍ〕にされる。
【００２７】
また、前記切欠部９３の上辺の所定の箇所には、切欠部９３において指を掛けるのに適した位置を表すために、所定の幅にわたって把持位置表示部３０が形成される。そして、該把持位置表示部３０には、例えば、指の形状に対応させて、各指を当てるための複数の凹部が形成されるので、作業者は、把持位置表示部３０に指を掛けてプリンタ１０を把持し、運搬することができる。
【００２８】
ところで、プリンタ１０を運搬する際、装置本体にケーブルとしての電源ケーブル３３が接続されたままであると、前記電源ケーブル３３が運搬の妨げとなる。そこで、前述されたように、プリンタ１０を運搬する際に、ＡＣインレット３５とプラグ３３ａとを分離させることによって、装置本体から電源ケーブル３３を抜き、プリンタ１０を運搬し、使用する場所に設置した後に、ＡＣインレット３５とプラグ３３ａとを接続することによって、装置本体に電源ケーブル３３を接続するようにしている。
【００２９】
また、プリンタ１０を使用しないときに、装置本体から電源ケーブル３３を抜いたり、プリンタ１０を使用するときに、装置本体に電源ケーブル３３を接続する作業が煩わしい。そこで、前記主電源スイッチ３１を、筐体の視認性及び操作性がよい箇所、本実施の形態においては、フロントカバー９１の下部における用紙カセット１１の横に配設し、プリンタ１０を使用しないときは、主電源スイッチ３１をオフにし、低圧電源２２への電力の供給を停止させ、プリンタ１０を使用するときに、主電源スイッチ３１をオンにして、低圧電源２２に電力を供給するようにしている。
【００３０】
ところが、主電源スイッチ３１をオフにしてしまうと、表示部等を含めた一切の電力の供給が停止してしまうので、プリンタ１０と商用電源とが電源ケーブル３３を介して接続されたままであるかどうかを、外観上、全く認識することができない。
【００３１】
したがって、作業者がプリンタ１０と商用電源とが電源ケーブル３３を介して接続されたままプリンタ１０を運搬することが考えられ、その場合、前記ＡＣインレット３５、プラグ３３ａ、３３ｂ、コンセント３２等に極めて大きな力が加わり、ＡＣインレット３５、プラグ３３ａ、３３ｂ、コンセント３２等が破損してしまうことがある。
【００３２】
そこで、前記ＡＣインレット３５は、前記切欠部９３に臨ませて配設され、切欠部９３内でプラグ３３ａと接続される。そして、電源ケーブル３３は、切欠部９３内をリヤカバー２９に向かって延在させて配線され、リヤカバー２９外において、プラグ３３ｂとコンセント３２とが接続される。
【００３３】
この場合、電源ケーブル３３の外径が１〔ｃｍ〕であるので、作業者が、筐体のベースカバー９２から５〔ｃｍ〕の高さに形成された切欠部９３内に指を入れ、把持位置表示部３０に指を掛けてプリンタ１０を把持しようとすると、切欠部９３内を延在させて配線された電源ケーブル３３のプラグ３３ａ、ワイヤ部３３ｃ等が指に触れるだけでなく、把持位置表示部３０に指を掛けたときに、該把持位置表示部３０と共にプラグ３３ａ、ワイヤ部３３ｃ等を握ってしまうので、作業者は、違和感を覚え、プリンタ１０と商用電源とが電源ケーブル３３を介して接続されたままであることを実感し、認識することができる。しかも、把持位置表示部３０に指を掛ける動作が阻止されることもある。したがって、作業者は、電源ケーブル３３を抜いてプリンタ１０を運搬することになる。
【００３４】
その結果、作業者がプリンタ１０と商用電源とが電源ケーブル３３を介して接続されたままプリンタ１０を運搬してしまうことがない。そして、ＡＣインレット３５、プラグ３３ａ、３３ｂ、コンセント３２等に極めて大きな力が加わることがなく、ＡＣインレット３５、プラグ３３ａ、３３ｂ、コンセント３２等が破損するのを防止することができる。
【００３５】
しかも、プリンタ１０と商用電源とが電源ケーブル３３を介して接続されたままであることを認識するためのセンサ等を配設する必要がないので、プリンタ１０のコストを低くすることができる。
【００３６】
ところで、コンセント３２からプラグ３３ｂを抜いてあるが、ＡＣインレット３５とプラグ３３ａとが接続されたままでプリンタ１０が運搬されると、電源ケーブル３３に外力が加わり、それに伴って、ＡＣインレット３５、プラグ３３ａ等に極めて大きな力が加わり、ＡＣインレット３５、プラグ３３ａ等が破損してしまうことがある。
【００３７】
ところが、本実施の形態において、ＡＣインレット３５とプラグ３３ａとが接続されたままであると、作業者は、切欠部９３内に指を入れ、把持位置表示部３０に指を掛けてプリンタ１０を把持しようとしたときに、プラグ３３ａ、ワイヤ部３３ｃ等が指に触れるだけでなく、把持位置表示部３０に指を掛けたときに、把持位置表示部３０と共にプラグ３３ａ、ワイヤ部３３ｃ等を握ってしまう。したがって、作業者は、ＡＣインレット３５とプラグ３３ａとが接続されたままであることを実感し、認識することができるので、ＡＣインレット３５からプラグ３３ａを抜き、前記ＡＣインレット３５とプラグ３３ａとが接続されたままプリンタ１０を運搬してしまうことがない。その結果、ＡＣインレット３５、プラグ３３ａ等に極めて大きな力が加わることがなく、ＡＣインレット３５、プラグ３３ａ等が破損するのを防止することができる。
【００３８】
なお、装置本体を持ち上げ、装置本体の下方にオプション機器をセットすることができるようにされたプリンタ１０においては、主電源スイッチ３１をオフにして、低圧電源２２に電力が供給されない状態で、オプション機器を着脱するようになっている。ところが、主電源スイッチ３１がオフにされているかどうかを外観で判断するのが困難であるので、多くのプリンタ１０においては、装置本体から電源ケーブル３３を抜いた状態で、オプション機器を着脱するようにマニュアル等で推奨されている。本実施の形態においては、作業者がプリンタ１０を把持したときに、ＡＣインレット３５とプラグ３３ａとが接続されたままであることを実感し、認識することができるので、ＡＣインレット３５とプラグ３３ａとが接続されたままオプション機器が着脱されるのを防止することができる。
【００３９】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４０】
図７は本発明の第２の実施の形態におけるケーブルの配設状態を示す第１の図、図８は本発明の第２の実施の形態におけるケーブルの配設状態を示す第２の図、図９は本発明の第２の実施の形態におけるプリンタの把持状態を示す図である。
【００４１】
この場合、筐体の所定の箇所、本実施の形態においては、下部におけるサイドカバー２８からリヤカバー２９にかけて、作業者がプリンタ１０を把持し、運搬する際に指を掛けるための把持部として使用される切欠部９８、及び該切欠部９８と連通する貫通部４１が形成され、該貫通部４１は、サイドカバー２８において閉鎖され、リヤカバー２９において開口させられる。
【００４２】
前記切欠部９８及び貫通部４１のベースカバー９２からの高さ、及びサイドカバー２８からの奥行きは、いずれも、５〔ｃｍ〕にされる。前記切欠部９８の上辺の所定の箇所には、切欠部９８において指を掛けるのに適した位置を表すために、所定の幅にわたって把持位置表示部３０が形成される。作業者は、把持位置表示部３０に指を掛けてプリンタ１０を把持し、運搬することができる。
【００４３】
ところで、前述されたように、プリンタ１０を運搬する際、装置本体にケーブルとしての電源ケーブル３３が接続されたままであると、該電源ケーブル３３が運搬の妨げとなる。そこで、前述されたように、プリンタ１０を運搬する際に、本体接続部としてのＡＣインレット３５と第１のケーブル接続部としてのプラグ３３ａとを分離させることによって、装置本体から電源ケーブル３３を抜き、プリンタ１０を運搬し、使用する場所に設置した後に、ＡＣインレット３５とプラグ３３ａとを接続することによって、装置本体に電源ケーブル３３を接続するようにしている。
【００４４】
また、前記ＡＣインレット３５は、前記切欠部９８に臨ませて配設され、切欠部９８内でプラグ３３ａと接続される。そして、電源ケーブル３３は、切欠部９８内をリヤカバー２９に向かって延在させ、貫通部４１内を貫通させて配線され、リヤカバー２９外において、第２のケーブル接続部としてのプラグ３３ｂと接続機器接続部としてのコンセント３２（図１）とが接続される。
【００４５】
前記貫通部４１は、電源ケーブル３３を、折りたたむことによって、ＡＣインレット３５とプラグ３３ａとを接続したままで収容することができ、収納部として機能する。
【００４６】
次に、作業者が把持位置表示部３０に指を掛けたときの、電源ケーブル３３の状態について説明する。
【００４７】
まず、プリンタ１０と商用電源とが電源ケーブル３３を介して接続された状態において、作業者が、筐体のベースカバー９２（図１）から５〔ｃｍ〕の高さに形成された切欠部９８内に指を入れ、把持位置表示部３０に指を掛けてプリンタ１０を把持しようとすると、切欠部９８内を延在させて配線された電源ケーブル３３のプラグ３３ａ、ワイヤ部３３ｃ等が指に触れるだけでなく、把持位置表示部３０に指を掛けたときに、該把持位置表示部３０と共にプラグ３３ａ、ワイヤ部３３ｃ等を握ってしまうので、作業者は、違和感を覚え、プリンタ１０と商用電源とが電源ケーブル３３を介して接続されたままであることを実感し、認識することができる。しかも、把持位置表示部３０に指を掛ける動作が阻止されることもある。
【００４８】
なお、ＡＣインレット３５からプラグ３３ａを、コンセント３２からプラグ３３ｂを、それぞれ抜き、電源ケーブル３３が、貫通部４１内において折りたたまれ、切欠部９８内に延在させられていない場合は、作業者が、切欠部９８内に指を入れ、把持位置表示部３０に指を掛けてプリンタ１０を把持しても、プラグ３３ａ、ワイヤ部３３ｃ等が指に触れないので、作業者は、違和感を覚えることなく、プリンタ１０を運搬することができる。
【００４９】
そして、コンセント３２からプラグ３３ｂを抜いてあるが、ＡＣインレット３５とプラグ３３ａとが接続されたままである場合は、作業者が、切欠部９８内に指を入れ、把持位置表示部３０に指を掛けてプリンタ１０を把持しようとすると、切欠部９８内を延在させて配線された電源ケーブル３３のプラグ３３ａ、ワイヤ部３３ｃ等が指に触れるだけでなく、把持位置表示部３０に指を掛けたときに、把持位置表示部３０と共にプラグ３３ａ、ワイヤ部３３ｃ等を握ってしまう。したがって、作業者はＡＣインレット３５とプラグ３３ａとが接続されたままであることを実感し、認識することができる。
【００５０】
また、コンセント３２からプラグ３３ｂを抜いてあるが、ＡＣインレット３５とプラグ３３ａとが接続されたままであり、プラグ３３ｂが貫通部４１に収容されている場合は、作業者が、切欠部９８内に指を入れ、把持位置表示部３０に指を掛けてプリンタ１０を把持しようとすると、切欠部９８内を延在させて配線された電源ケーブル３３のプラグ３３ａ、３３ｂ、ワイヤ部３３ｃ等が指に触れるだけでなく、把持位置表示部３０に指を掛けたときに、把持位置表示部３０と共にプラグ３３ａ、３３ｂ、ワイヤ部３３ｃ等を握ってしまうので、作業者は、違和感を覚える。
【００５１】
なお、ＡＣインレット３５からプラグ３３ａを、コンセント３２からプラグ３３ｂを抜いてあり、切欠部９８内に電源ケーブル３３が存在する場合は、作業者が、切欠部９８内に指を入れ、把持位置表示部３０に指を掛けてプリンタ１０を把持しようとすると、切欠部９８内に存在する電源ケーブル３３のプラグ３３ａ、３３ｂ、ワイヤ部３３ｃ等が指に触れるだけでなく、把持位置表示部３０に指を掛けたときに、把持位置表示部３０と共にプラグ３３ａ、３３ｂ、ワイヤ部３３ｃ等を握ってしまうので、作業者は、違和感を覚える。
【００５２】
なお、この場合、切欠部９８内に存在する電源ケーブル３３のプラグ３３ａ、３３ｂ、ワイヤ部３３ｃ等が指に触れても、電源ケーブル３３を貫通部４１に移動させることができるので、移動させた後、直ちに把持位置表示部３０に指を掛けてプリンタ１０を把持することができる。
【００５３】
例えば、遮断装着としての主電源スイッチ３１をオンにするだけで、低圧電源２２に電力が供給される状態、すなわち、プリンタ１０と商用電源とが電源ケーブル３３を介して接続された状態においては、切欠部９８内に存在する電源ケーブル３３のプラグ３３ａ、３３ｂ、ワイヤ部３３ｃ等が指に触れたときに、電源ケーブル３３を貫通部４１に移動させることができず、把持位置表示部３０に指を掛ける動作が阻止される。
【００５４】
このように、本実施の形態においては、前記ＡＣインレット３５が、サイドカバー２８に形成された切欠部９３に臨ませて配設され、切欠部９３内でプラグ３３ａと接続されるので、装置本体に電源ケーブル３３が接続されたままプリンタ１０が運搬されることがない。すなわち、本実施の形態においては、プリンタ１０と商用電源とが電源ケーブル３３を介して接続されたままプリンタ１０が運搬されたり、コンセント３２からプラグ３３ｂを抜いてあるが、ＡＣインレット３５とプラグ３３ａとが接続されたままプリンタ１０が運搬されたりすることがない。
【００５５】
また、切欠部９８に隣接させて、貫通部４１が配設されるので、作業者は、貫通部４１における電源ケーブル３３の収容状態を認識しながらプリンタ１０を運搬することができる。
【００５６】
さらに、貫通部４１が配設されるので、ＡＣインレット３５からプラグ３３ａが抜かれ、コンセント３２からプラグ３３ｂが抜かれた電源ケーブル３３を貫通部４１に収容した状態でプリンタ１０を運搬することができる。したがって、電源ケーブル３３の取扱いを簡素化することができる。
【００５７】
前記各実施の形態においては、ケーブルとして電源ケーブル３３を備え、接続部としてＡＣインレット３５、プラグ３３ａ、３３ｂ等を備えたプリンタについて説明しているが、ケーブルとして電源ケーブル３３を備え、接続部としてＡＣインレット、プラグ等を備えたファクシミリ、複写機、複合装置等の他の電子装置に適用することができる。
【００５８】
また、前記各実施の形態においては、装置本体と他の接続機器とを電源ケーブル３３を介して接続する場合について説明しているが、装置本体と他の接続機器とをＵＳＢケーブル、ＬＡＮケーブル等のインタフェースケーブルを介して接続する場合に適用することができる。その場合、インタフェースが接続部を構成する。
【００５９】
そして、各実施の形態においては、切欠部９３、９８がサイドカバー２８に配設されるようになっているが、切欠部９３、９８を筐体の他の箇所、例えば、フロントカバー９１、リヤカバー２９等に配設することもできる。
【００６０】
また、前記各実施の形態においては、遮断装着として主電源スイッチ３１が配設されるようになっているが、ＡＣインレット３５を遮断装置とし、スイッチ機能を持たせることができる。
【００６１】
なお、本発明は前記各実施の形態に限定されるものではなく、本発明の趣旨に基づいて種々変形させることが可能であり、それらを本発明の範囲から排除するものではない。
【図面の簡単な説明】
【００６２】
【図１】本発明の第１の実施の形態におけるプリンタの斜視図である。
【図２】本発明の第１の実施の形態におけるプリンタの概念図である。
【図３】本発明の第１の実施の形態におけるプリンタの電源系を示すブロック図である。
【図４】本発明の第１の実施の形態におけるケーブルの配設状態を示す第１の図である。
【図５】本発明の第１の実施の形態におけるケーブルの配設状態を示す第２の図である。
【図６】本発明の第１の実施の形態におけるプリンタの把持状態を示す図である。
【図７】本発明の第２の実施の形態におけるケーブルの配設状態を示す第１の図である。
【図８】本発明の第２の実施の形態におけるケーブルの配設状態を示す第２の図である。
【図９】本発明の第２の実施の形態におけるプリンタの把持状態を示す図である。
【符号の説明】
【００６３】
１０    プリンタ
３２    コンセント
３３    電源ケーブル
３３ａ、３３ｂ    プラグ
３３ｃ    ワイヤ部
３５    ＡＣインレット
９３、９８    切欠部
【図１】
2010052233.tif 000003
【図２】
2010052233.tif 000004
【図３】
2010052233.tif 000005
【図４】
2010052233.tif 000006
【図５】
2010052233.tif 000007
【図６】
2010052233.tif 000008
【図７】
2010052233.tif 000009
【図８】
2010052233.tif 000010
【図９】
2010052233.tif 000011
【手続補正書】
【提出日】平成20年9月3日(2008.9.3)
【手続補正１】
【補正対象書類名】図面
【補正対象項目名】図１
【補正方法】変更
【補正の内容】
【図１】
2010052233.tif 000012
【手続補正２】
【補正対象書類名】図面
【補正対象項目名】図２
【補正方法】変更
【補正の内容】
【図２】
2010052233.tif 000013
【手続補正３】
【補正対象書類名】図面
【補正対象項目名】図６
【補正方法】変更
【補正の内容】
【図６】
2010052233.tif 000014
【手続補正４】
【補正対象書類名】図面
【補正対象項目名】図９
【補正方法】変更
【補正の内容】
【図９】
2010052233.tif 000015